(57)【要約】【課題】薄型カードタイプとすることで携帯性の向上したコインケースとすることができ、また携帯電話のように首に吊り下げたままでもワンタッチで簡単にコインを取り出すことができるようにする。【解決手段】ストッカー本体２と、該ストッカー本体２内に出入自在に収納するコインホルダー３とを備え、該コインホルダー３は、一側面でコインＰを嵌合保持するようコインＰ径に合わせた口径を有する複数のコイン保持穴４を有し、他面側で当該コインＰを指先で押し出すようコインＰ径より小さな口径のコイン押出穴６を有する。また、コインホルダー３は、ストッカー本体２に対して当該コインホルダー３を直進スライドもしくは回転スライドすることにより引き出し可能となるスライド機構Ｑを備え、さらにストッカー本体２には、ネックストラップＳを着脱自在に取り付け可能とする吊下げ孔部７を備える。【選択図】図３
2007289388.tif 000002
【特許請求の範囲】
【請求項１】
ストッカー本体と、該ストッカー本体内に出入自在に収納されるコインホルダーとを備え、該コインホルダーは、一側面でコインを嵌合保持させるようコイン径に合わせた口径を有する複数のコイン保持穴を有し、他面側で当該コインを指先で押し出すようコイン径より小さな口径のコイン押出穴を有して成ることを特徴としたコインストッカー。
【請求項２】
コインホルダーは、ストッカー本体に対して当該コインホルダーを直進スライドもしくは回転スライドさせることにより引き出し可能となるスライド機構を備えた請求項１記載のコインストッカー。
【請求項３】
スライド機構には、コインホルダーをストッカー本体内から押し出し方向に付勢する発条体と、該発条体の付勢力に抗してストッカー本体内に収納保持させ、且つこの保持力を開放させることで発条体の付勢力に任せてコインホルダーをストッカー本体内から押し出させる押出ボタンと、ストッカー本体内から引き出されたコインホルダーの当該ストッカー本体からの逸脱を不能にさせるストッパー手段とを備えた請求項２記載のコインストッカー。
【請求項４】
ストッカー本体には、キャラクターや用途に合わせたデザインを施した着せ替え可能なジャケット、またはゲームに使用される遊戯用カードを収納可能とした透視可能なカード収納部を有する着せ替え可能なジャケットを備えた請求項１乃至３のいずれかに記載のコインストッカー。
【請求項５】
ストッカー本体には、ネックストラップを着脱自在に取り付け可能とする吊下げ孔部を備えた請求項１乃至４のいずれかに記載のコインストッカー。
【発明の詳細な説明】
【技術分野】
【０００１】
本発明は、複数のコインを収納してから首等に吊り下げる等して携帯可能としたコインストッカーに関する。
【背景技術】
【０００２】
近年、例えば１００年コインをカード販売機に入れて遊戯用カードを購入し、複数枚の遊戯用カードの中から所望のカードを選択してこのバーコードをスキャンさせることでコンピュータに読み取らせ、該コンピュータを相手に対戦するか、あるいは友達の所有している遊戯用カードとで直接勝負するというような子供の遊戯ゲームが流行している。
【０００３】
このように遊戯ゲームを行なう際には、ポケットもしくは小銭入れ等からコインを一枚一枚取り出すことによってカード販売機に投入し、遊戯用カードを購入していたため、非常に手間と時間が掛かるものであった。
【０００４】
このため、従来では様々なタイプのコインケースが提案されている。
例えば、特許文献１に開示されているように、細長箱状のケースを、仕切板により前側と後側の空間部を形成し、且つ前後それぞれの空間部を側壁によって複数組の収納部とし、前側および後側の各収納部にコインを重合状に収納自在として成るコインケースがある。
【０００５】
また、特許文献２に開示されているように、同種のコインをバネ力に抗して厚み方向に重ね合わせて収納するための円筒形空間部がその軸を横方向にして複数個並設され、手動操作によりコインを一枚づつ放出ゲートから放出させるバイク車両取付型のコインケースがある。
【０００６】
さらに、特許文献３に開示されているように、複数枚のコインを略コ字枠状のカバー内に収納させ、カバー内でコインの片側は保持穴で係合保持され、コインの反対側はバネ作動部で単独で押えられ、上側開口部から一枚のコインを軽く親指で押えてカバーからスライドさせて取り出す１円玉用のコインケースがある。
【０００７】
さらにまた、特許文献４に開示されているように、円形端面板の周縁から、先端に係止部を有する円弧板片状の挟持片を対向突出させ、円形端面板の挟持片間に係止受部を形成して成るコイン収納可能とした同構造一対の構成体を形成し、一方の構成体の挟持片を他方の構成体の円形端面板の係止受部に係止させることで両構成体を噛合して成るコインケースがある。
【特許文献１】特開平８−１００２１号公報
【特許文献２】特開平９−２９４６１７号公報
【特許文献３】特開２００２−７８５１８号公報
【特許文献４】実開平６−６５９７３号公報
【発明の開示】
【発明が解決しようとする課題】
【０００８】
しかしながら、これら従来例によると、コインケース自体が袋状タイプ、筒状タイプ、箱状タイプのものが殆どであって、薄型で携帯性のあるカードタイプ、あるいは吊り下げ可能な携帯電話タイプのものが存在しない。
【０００９】
また、従来のコインケースでは、購入した遊戯用カードを収納しておけるようなスペースも存在しない。
【００１０】
さらに、従来のコインケースは、コインの一部分が露出しているため、外観からして一目でコインケースであるものと分かってしまうものであった。すなわち、コインを完全に隠蔽させることでコインケースであるものとは認知し難いものとし、一見カードのようにしか理解できないようにしたコインケースは従来は存在しなかったのである。
【００１１】
そこで、本発明は、叙上のような従来存した諸事情に鑑み創出されたもので、一般のクレジットカードやテレホンカード等のような薄型カードタイプとすることで携帯性の向上したコインケースとすることができ、また従来の携帯電話のように首に吊り下げたままでもワンタッチで簡単にコインが取り出せるようにし、しかも外観上、一般的に存在するカードのようにしか理解できないようにした安全性の高いコインケースを提供することを目的とする。
【課題を解決するための手段】
【００１２】
上述した課題を解決するため、本発明にあっては、ストッカー本体と、該ストッカー本体内に出入自在に収納されるコインホルダーとを備え、該コインホルダーは、一側面でコインを嵌合保持させるようコイン径に合わせた口径を有する複数のコイン保持穴を有し、他面側で当該コインを指先で押し出すようコイン径より小さな口径のコイン押出穴を有して成ることを特徴としたものである。
【００１３】
コインホルダーは、ストッカー本体に対して当該コインホルダーを直進スライドもしくは回転スライドさせることにより引き出し可能となるスライド機構を備えたものとすることができる。
【００１４】
スライド機構には、コインホルダーをストッカー本体内から押し出し方向に付勢する発条体と、該発条体の付勢力に抗してストッカー本体内に収納保持させ、且つこの保持力を開放させることで発条体の付勢力に任せてコインホルダーをストッカー本体内から押し出させる押出ボタンと、ストッカー本体内から引き出されたコインホルダーの当該ストッカー本体からの逸脱を不能にさせるストッパー手段とを備えたものとすることができる。
【００１５】
ストッカー本体には、キャラクターや用途に合わせたデザインを施した着せ替え可能なジャケット、またはゲームに使用される遊戯用カードを収納可能とした透視可能なカード収納部を有する着せ替え可能なジャケットを備えたものとすることができる。
【００１６】
ストッカー本体には、ネックストラップを着脱自在に取り付け可能とする吊下げ孔部を備えたものとすることができる。
【発明の効果】
【００１７】
本発明によれば、一般のクレジットカードやテレホンカード等のような薄型カードタイプとすることで携帯性の向上したコインケースとすることができ、また従来の携帯電話のように首に吊り下げたままでもワンタッチで簡単にコインを取り出すことができ、しかも外観上、一般的に存在するようなカードの如き感を呈するものとすることができる。
【００１８】
すなわち、これは本発明が、ストッカー本体と、該ストッカー本体内に出入自在に収納されるコインホルダーとを備え、該コインホルダーは、一側面でコインを嵌合保持させるようコイン径に合わせた口径を有する複数のコイン保持穴を有し、他面側で当該コインを指先で押し出すようコイン径より小さな口径のコイン押出穴を有して成るので、薄型カードタイプの携帯性の向上したコインケースを容易に形成することができる。しかも、コインホルダー自体は、ストッカー本体内に完全に隠蔽されるため、外観上、コインホルダーであるものとは認知し難く、一般的に存在するようなクレジットカードやテレホンカード、さらには遊戯用カードとして看者に見せ付けることができる。
【００１９】
コインホルダーは、ストッカー本体に対して当該コインホルダーを直進スライドもしくは回転スライドさせることにより引き出し可能となるスライド機構を備えたので、コインをスムーズに取り出すことができると共に、コインホルダーのストッカー本体内への収納状態ではコインが落下することがなく、かつ普通のカードと変わりなく携帯することができる。
【００２０】
スライド機構には、コインホルダーをストッカー本体内から押し出し方向に付勢する発条体と、該発条体の付勢力に抗してストッカー本体内に収納保持させ、且つこの保持力を開放させることで発条体の付勢力に任せてコインホルダーをストッカー本体内から押し出させる押出ボタンと、ストッカー本体内から引き出されたコインホルダーの当該ストッカー本体からの逸脱を不能にさせるストッパー手段とを備えたので、コイン取り出し時には、押出ボタンの押圧操作によってコインホルダーをストッカー本体内からワンタッチで容易に引き出すことができ、コインホルダー収納時には、発条体の付勢力に抗してコインホルダーをストッカー本体内に押し込むことで容易に収納保持することができる。
【００２１】
ストッカー本体には、キャラクターや用途に合わせたデザインを施した着せ替え可能なジャケット、またはゲームに使用される遊戯用カードを収納可能とした透視可能なカード収納部を有する着せ替え可能なジャケットを備えたので、コインストッカーに対し好みに応じたキャラクターや用途に合わせたデザインを容易に付与することができ、コインストッカーとしての見栄えが良くなる。また、購入した好みの遊戯用カードをジャケットに収納することで外観上の面白味を付与することができ、且つ購入した遊戯用カードを紛失させることもなくなる。
【００２２】
ストッカー本体には、ネックストラップを着脱自在に取り付け可能とする吊下げ孔部を備えたので、ネックストラップを首に吊り下げておくことでコインストッカーを紛失させる虞れが無くなり、しかも従来の携帯電話のようにコインストッカーを首に吊り下げたままでワンタッチで簡単にコインを取り出すことができる。
【発明を実施するための最良の形態】
【００２３】
以下、図面を参照して本発明を実施するための最良の一形態を説明する。
図において示される符号１は、例えば、横幅員が５３．９ｍｍ、縦幅員が８５．５ｍｍという一般的な標準カードサイズによる薄型カードタイプに形成されたコインストッカーであり、該コインストッカー１は、図１以下に示すように、このカードサイズを備えたストッカー本体２と、該ストッカー本体２内に出入自在に収納されるカードタイプのコインホルダー３とから構成されている。
【００２４】
コインホルダー３は、図３乃至図５に示すように、表面側でコインＰとして例えば１００円玉６個を３個ずつ縦２列に装着できるようにコインＰ径に合わせた口径を有する円形状の６個のコイン保持穴４を凹設し、また各コイン保持穴４の内周面には、図３および図６（ｃ）に示すように、コインＰをパッチン止めのように嵌合保持させるためのリング状のコイン押えバネ５が装着されている。そして、裏面側からコインＰを指先で押し出せるようコインＰ径よりも小さく且つ指先が入る程度の口径を有する円形状のコイン押出穴６を各コイン保持穴４に対応して同芯状に穿設してある。
【００２５】
また、図６（ａ）および図６（ｂ）に示すように、ストッカー本体２の上端側面には、首に吊り下げ可能なネックストラップＳを着脱自在に取り付けるための吊下げ孔部７を備えている。そして、ストッカー本体２の表面側には、図２に示すように、例えばドラゴンボールＺ、デジモンセイバーズ、セガトイズ（いずれも登録商標）関連キャラクター等や用途に合わせたデザイン、さらにはネーム等を施して成る例えばアクリル製薄板等によって形成された着せ替え可能なジャケットＪが、リベットＲによって着脱可能となるように取り付けられている。尚、このジャケットＪには、ゲームに使用される遊戯用カード（図示せず）等を収納可能とした透視可能なカード収納部を設けていても良い。
【００２６】
コインストッカー１には、ストッカー本体２に対してコインホルダー３を直進スライドさせて引き出し可能となるスライド機構Ｑを備えている。すなわち、このスライド機構Ｑは、図４または図５に示すように、ストッカー本体２の下端側にはコインホルダー３を出入させるための当該コインホルダー３厚み相当分の開口部１１が形成され、ストッカー本体２内からコインホルダー３を開口部１１を通して押し出し方向に付勢するために発条体１３として例えばジグザグ状の板バネを、ストッカー本体２上部の内壁と、コインホルダー３の上端に形成された凹所３Ａとの間に介装させてある。
【００２７】
そして、ストッカー本体２内から引き出されたコインホルダー３の当該ストッカー本体２からの逸脱を不能にさせるストッパー手段１２として、開口部１１におけるストッカー本体２の裏側内壁面の左右対称位置には、コインホルダー３の上端に形成された横長突起状の被係止部１２Ａを係止させるための係止突起１２Ｂが形成されている。
【００２８】
また、ストッカー本体２の上部側面には、発条体１３の付勢力に抗してストッカー本体２内に収納保持させる一方、この保持力を開放させることで発条体１３の付勢力に任せてコインホルダー３をストッカー本体２内から押し出させるための押出ボタン１４が設けられている。すなわち、この押出ボタン１４の押し込み方向の先端側は、図４に示すように、ストッカー本体２内において支持部１５Ａを介して揺動可能としたレバー１６の末端１６Ａに当接されており、該レバー１６の末端１６Ａとストッカー本体２の上部内壁に設けた突起１７との間に介装されたスプリング１８によって、当該レバー１６の先端に形成されている楔状のフック部１６Ｂを、コインホルダー３の上部側面に形成されている凹部３Ａに係合するようにレバー１６自体を付勢させている。
【００２９】
そして、スプリング１８の付勢力に抗してこの押出ボタン１４を押し込み操作することでレバー１６が回動し、レバー１６のフック部１６Ｂとコインホルダー３の凹部３Ａとの係合が外れ、図５に示すように、発条体１３の付勢力に任せてコインホルダー３をストッカー本体２内から押し出されるようにしてある。
【００３０】
また、押出ボタン１４位置に対向するコインホルダー３の肩部にはテーパー部３Ｂが設けられ、発条体１３の付勢力に抗して当該コインホルダー３自体をストッカー本体２内に強制的に押し込むことでテーパー部３Ｂがレバー１６の先端のフック部１６Ｂの楔状傾斜部分に突き当り、これを押圧させるものとなり、これによりレバー１６自体はスプリング１８の付勢力に抗していったん退避させられてからフック部１６Ｂを凹部３Ａに係入させるものとしてある。これによってコインホルダー３はストッカー本体２内に収納保持される。
【００３１】
次に、以上のように構成された最良の形態についての使用、動作の一例について説明する。
ストッカー本体２の吊下げ孔部７にネックストラップＳを取り付け、ストッカー本体２の表面側に、図２に示すように、例えばドラゴンボールＺ、デジモンセイバーズ、セガトイズ関連キャラクター等（いずれも登録商標）や用途に合わせたデザインさらにはネーム等を施して成るジャケットＪがリベットＲによって取り付けられる。
【００３２】
コインストッカー１へのコインＰの収納に際し、ストッカー本体２の押出ボタン１４を押すと、レバー１６のフック部１６Ｂとコインホルダー３の凹部３Ａとの係合が外れ、発条体１３の付勢力に任せて開口部１１からコインホルダー３が押し出される。そして、コイン保持穴４にコインＰを嵌め込むとコイン押えバネ５によって当該コインＰは保持される。また、コインホルダー３からコインＰを取り出すときには、コインホルダー３裏側のコイン押出穴６に指先を押し込むことでコインＰが抜き外される。
【００３３】
一方、コインホルダー３が開口部１１から押し出されている状態から発条体１３の付勢力に抗して当該コインホルダー３自体を手指でもってストッカー本体２内に強制的に押し込むと、コインホルダー３の肩部にあるテーパー部３Ｂがレバー１６の先端のフック部１６Ｂの楔状傾斜部分に突き当り、これを押圧させることによりレバー１６自体はスプリング１８の付勢力に抗して退避させられ、フック部１６Ｂは凹部３Ａに係合するものとなり、これによってコインホルダー３はストッカー本体２内に収納保持される。
【００３４】
また、図７にはスライド機構Ｑの他の構成が示されており、本構成では、ストッカー本体２に対してコインホルダー３を回転スライドさせて引き出し可能となるようにしてある。尚、前記した構成と同じ部分には同じ符号を附することでその説明を省略してある。
【００３５】
すなわち、開口部１１は、ストッカー本体２の側面から下面にかけて略Ｌ字開口状に形成され、コインホルダー３は、ストッカー本体２内の下部にある支軸２１によって回転自在に枢着されている。これによりコインホルダー３は、当該コインホルダー３の側面の取っ手２２を手指で持ち、支軸２１を中心にして左右方向に回転させることで開口部１１を介して出入できるようにしてある（図７（ａ）および図７（ｂ）参照）。
【００３６】
また、コインホルダー３下端の裏側にはリブ２３を形成し、これに対応してストッカー本体２裏側の上部内壁面には、リブ受け２４を形成してあり、コインホルダー３を回転させて開口部１１を介してストッカー本体２内に収納した際に、リブ２３がリブ受け２４に係合することによって、コインホルダー３がストッカー本体２内から不用意に引き出されないようにしてある。
【００３７】
さらに、本構成において、各コイン保持穴４の内周面には、図７（ｄ）に示すように、装着されるコインＰをパッチン止めのように嵌合保持させるための内径方向に突出し、かつ弾性を有する複数のヒダ状の突片部２５が形成されている。
【００３８】
また、図８、図９には、スライド機構Ｑのさらに他の構成が示されており、本構成では、ストッカー本体２に対してコインホルダー３を回転スライドさせて引き出し可能となるのに加えて、コインストッカー１には、ストッカー本体２に対してコインホルダー３の収納状態を保持したり解放するためのスライドレバー３１を備えている。
【００３９】
すなわち、図９に示すように、コインホルダー３の下部中央は、ストッカー本体２内の下部中央に対して支軸２１を介して回転可能に枢着されているのに加えて、支軸２１には、弦巻バネ３５のコイル部分が巻装された状態で、当該弦巻バネ３５の一端部をストッカー本体２に固定し、弦巻バネ３５の他端部をコインホルダー３に固定することで、コインホルダー３をストッカー本体２のＬ字状の開口部１１から常時押し出されるように付勢させてある。
【００４０】
また、ストッカー本体２の上部側面において上下にスライド可能となる略Ｌ字形のスライドレバー３１を設け、ストッカー本体２内方に位置するスライドレバー３１のＬ字形先端には上方に突き出た楔状のフック部３２が形成されると共に、ストッカー本体２外方に位置してその外面に上下スライド自在の略Ｔ字形の操作部３６が形成されている。そして、このスライドレバー３１のフック部３２側とストッカー本体２内の側面に形成されている縦向きの凹所との間にスプリング３３が介装されており、スライドレバー３１自体を常に上方向に付勢させてある。
【００４１】
一方、コインホルダー３のスライドレバー３１寄りの肩部には、下方に向けてＬ字状に折り曲げることによって凹部３４が形成され、この凹部３４に前記スライドレバー３１のフック部３２が係合するようにしてある。
【００４２】
コインストッカー１へのコインＰの収納に際し、ストッカー本体２外面の操作部３６に指を当てストッカー本体２のスライドレバー３１を下方向に押すと、スライドレバー３１のフック部３２とコインホルダー３の凹部３４との係合が外れ、弦巻バネ３５の拡開付勢力に任せて開口部１１からコインホルダー３が押し出される。そして、コイン保持穴４にコインＰを嵌め込むとコイン押えバネ５によって当該コインＰは保持される。また、コインホルダー３からコインＰを取り出すときには、コインホルダー３裏側のコイン押出穴６に指先を押し込むことでコインＰが抜き外される。ちなみに、このようなコインＰの挿・脱機構はいずれの実施形態においても同様となっている。
【００４３】
一方、コインホルダー３が開口部１１から押し出されている状態から弦巻バネ３５の付勢力に抗して当該コインホルダー３自体を手指でもってストッカー本体２内に強制的に押し込むと、コインホルダー３の肩部にある凹部３４外側のテーパー部３Ｂがスライドレバー３１のフック部３２の楔状傾斜部分を押圧させることによりスライドレバー３１自体はスプリング３３の付勢力に抗して下方向に退避させられ、フック部３２は凹部３４に係合するものとなり、これによってコインホルダー３はストッカー本体２内に収納保持されるのである。
【図面の簡単な説明】
【００４４】
【図１】本発明を実施するための最良の形態におけるコインストッカーの一例を示す正面図である。
【図２】同じくストッカー本体にジャケットを取り付ける状態の側面図である。
【図３】同じくストッカー本体からコインホルダーを押し出した状態の正面図である。
【図４】スライド機構の一例を示し、（ａ）は正面側から見たコインホルダー収納状態の断面図、（ｂ）は（ａ）のＸ−Ｘ断面図である。
【図５】同じく正面側から見たコインホルダー引き出し状態の断面図である。
【図６】ストッパー手段、コイン保持穴、吊下げ孔部それぞれの一例を示し、（ａ）は吊下げ孔部の一部切欠平面図、（ｂ）は吊下げ孔部の一部切欠正面図、（ｃ）はコインホルダー引き出し状態の縦断面図である。
【図７】スライド機構の他例を示し、（ａ）はコインホルダー収納状態の斜視図、（ｂ）はコインホルダー引き出し状態の斜視図、（ｃ）はコインホルダー引き出し状態の側面図、（ｄ）はコイン保持穴の一部断面を示す切欠斜視図である。
【図８】スライド機構の更に他例を示し、（ａ）はコインホルダー引き出し状態の斜視図である。
【図９】同じくスライド機構の動作を説明するための正面側から見たコインホルダー収納状態の断面図である。
【符号の説明】
【００４５】
Ｐ      コイン
Ｑ      スライド機構
Ｓ      ネックストラップ
Ｒ      リベット
Ｊ      ジャケット
１      コインストッカー
２      ストッカー本体
３      コインホルダー
３Ａ    凹所
４      コイン保持穴
５      コイン押えバネ
６      コイン押出穴
７      吊下げ孔部
１１    開口部
１２    ストッパー手段
１２Ａ  被係止部
１２Ｂ  係止突起
１３    発条体
１４    押出ボタン
１５Ａ  支持部
１６    レバー
１６Ａ  末端
１６Ｂ  フック部
１７    突起
１８    スプリング
２１    支軸
２２    取っ手
２３    リブ
２４    リブ受け
２５    突片部
３１    スライドレバー
３２    フック部
３３    スプリング
３４    凹部
３５    弦巻バネ
３６    操作部
【図１】
2007289388.tif 000003
【図２】
2007289388.tif 000004
【図３】
2007289388.tif 000005
【図４】
2007289388.tif 000006
【図５】
2007289388.tif 000007
【図６】
2007289388.tif 000008
【図７】
2007289388.tif 000009
【図８】
2007289388.tif 000010
【図９】
2007289388.tif 000011